(57)【要約】  電気ネットワークから消費パターンを測定する装置、及びその装置を使用する方法であって、装置には：マイクロコントローラ／処理装置制御ブロック（２）及び別の補助装置；変調器／復調器通信装置（３）；使用可能な供給電源を装置（１）の運転に適する電圧（８）に変換する供給ブロック（４）；及び電気ネットワークの電線（７）で電力消費量を測定する測定ブロック（５）を備え、方法には、測定値を調整するステップと、必要に応じて測定値を所定消費パターンと比較するステップと、測定値を通信ブロック（３）に送信するステップとを備える。第１実施例では、視聴を測定するためにテレビで視聴されているテレビ番組を識別する装置を構成する。第２実施例では、電線と接続されている電気機器の種類を識別可能にし、それにより統計を纏める。【選択図】図１
2011501548.tif 000002
【特許請求の範囲】
【請求項１】
配電網の電線またはケーブルにおける電力消費量の測定値を取り、その測定値を処理して、配電点を使用するユーザ群の消費パターンを生成し、その測定値を遠隔システムに送信してその情報を処理可能にし、所定のパターンと比較し、前記装置の運転についての情報を送信し、情報を受信して前記装置の動作を変更または前述の所定パターンを使用可能にする、電気ネットワークから消費パターンを測定する装置であって、
その装置には、マイクロコントローラまたは同様な処理ユニット及び別の適当な補助装置（メモリ、制御論理等）で形成する制御ブロック（２）；制御ブロック（２）が提供する信号を、適当な伝送手段から、伝送するよう調整する変調器／復調器で形成する通信ブロック（３）；使用可能な供給電源を装置（１）の全部品を運転するのに適当な電圧（８）に変換する供給ブロック（４）；電気ネットワークのケーブルまたは電線（７）における電力消費量の測定値と、その測定値の調整と、必要に応じて、所定の消費パターンとの比較と、測定値の通信ブロック（３）への送信とを行う測定ブロック（５）、を備える
ことを特徴とする電気ネットワークから消費パターンを測定する装置。
【請求項２】
装置（１）の制御アルゴリスムを制御ブロック（２）に実装し、制御ブロック（２）は、測定ブロック（５）から来る信号の入力、通信ブロック（３）から受信する通信及びデータを示す信号の入力を受け、供給ブロック（４）からの充電レベルを示す信号が有った場合、信号の入力を受け測定ブロック（５）に向けて信号を出力し、通信ブロック（３）に送信する通信及びデータを示す信号を出力する
請求項１に記載の電気ネットワークから消費パターンを測定する装置。
【請求項３】
通信ブロック（３）では、装置（１）の具体的な位置に応じて、その都度異なる伝送手段を使用でき、通信ブロック（３）は、制御ブロック（２）から送信する通信及びデータを示す信号の入力を受け、制御ブロック（２）が送信した情報を検出する遠隔システムから発信する変調信号の入力を受け、制御ブロック（２）に送信する通信及びデータを示す信号を出力し、伝送する情報を変調済みにした信号を出力する
請求項１及び２に記載の電気ネットワークから消費パターンを測定する装置。
【請求項４】
供給ブロック（４）には更に、その適用が必要と思われる場合のみ、供給が無いときに電流を供給する装置を含むことができ、装置を充電池とすることが可能であり、また、供給ブロック（４）は、装置（１）に使用可能な電圧（６）の入力を受け、装置（１）の運転に必要な全電圧（８）を出力し、充電池の充電レベルを示す信号が有った場合は、信号を前記制御ブロック（２）へ出力する
請求項１ないし３のいずれかに記載の電気ネットワークから消費パターンを測定する装置。
【請求項５】
少なくとも１つの基準パターンを、ある特定のチャンネルを選局中のテレビ（Ｔ）の消費量に対応するパターンとする
請求項１ないし４のいずれかに記載の電気ネットワークから消費パターンを測定する装置。
【請求項６】
前記装置は、ある特定のチャンネルを選局中のテレビ（Ｔ）台数または割合について応答する
請求項５に記載の電気ネットワークから消費パターンを測定する装置。
【請求項７】
読み出しを、複数チャンネルについて同時に行う
請求項５に記載の電気ネットワークから消費パターンを測定する装置。
【請求項８】
電線（７）で読み出したパターンの比較を装置（１）で行う
請求項５に記載の電気ネットワークから消費パターンを測定する装置。
【請求項９】
電線（７）で読み出したパターンの比較を、読み出しを行う装置（１）から転送した後に、管理センター（Ｃ）で行う
請求項５に記載の電気ネットワークから消費パターンを測定する装置。
【請求項１０】
１つまたは複数のテレビチャンネルの視聴を測定する、請求項１ないし９のいずれかに記載の電気ネットワークから消費パターンを測定する装置の使用方法であって、
消費パターンを識別する電線の電流変動を読み出すステップと、
１つまたは複数のチャンネル信号を読み出して、チャンネル数と同数の関連する消費パターンを判定するステップと、
消費パターンを、検討対象の１つまたは複数のチャンネルの基準パターンと比較するステップと、
視聴について計算するために各チャンネルを視聴中のテレビ（Ｔ）台数を判定するステップと、を有する
ことを特徴とする電気ネットワークから消費パターンを測定する装置の使用方法。
【請求項１１】
基準パターンまたは複数の基準パターンを判定する読み出しを、前記測定装置で行う
請求項１０に記載の電気ネットワークから消費パターンを測定する装置の使用方法。
【請求項１２】
パターンの比較を前記装置で行う
請求項１１に記載の電気ネットワークから消費パターンを測定する装置の使用方法。
【請求項１３】
１つまたは複数の基準パターンを判定する読み出しを管理センター（Ｃ）で行う
請求項１０に記載の電気ネットワークから消費パターンを測定する装置の使用方法。
【請求項１４】
パターンの比較を前記管理センター（Ｃ）で行う
請求項１３に記載の電気ネットワークから消費パターンを測定する装置の使用方法。
【請求項１５】
各消費装置は、消費装置の給電線（７）に注入する所定の消費パターンを生成する生成要素（Ｇ）を有する
請求項１ないし４のいずれかに記載の電気ネットワークから消費パターンを測定する装置。
【請求項１６】
前記装置は、消費装置群の消費量に関する統計的または詳細な報告書を作成可能である
請求項１５に記載の電気ネットワークから消費パターンを測定する装置。
【請求項１７】
電線（７）で読み出されたパターンの比較を装置（１）で行う
請求項１５に記載の電気ネットワークから消費パターンを測定する装置。
【請求項１８】
電線（７）で読み出されたパターンの比較を、読み出しを行った装置（１）から転送した後に、管理センター（Ｃ）で行う
請求項１５に記載の電気ネットワークから消費パターンを測定する装置。
【発明の詳細な説明】
【技術分野】
【０００１】
本発明は、「発明の名称」に記したように、電気ネットワークから消費パターンを測定する手段に関する。
【背景技術】
【０００２】
まず言及すべきは、現在、最新技術を参照しても、視聴については、一般的に限られた数の家庭毎に設置した端末を使って測定している。そうした端末は（その大部分が）、遠隔制御ツマミから成り、このツマミをテレビ視聴者はチャンネルを変更する度に、手動で押さねばならない。これらの変更は、装置のメモリに保存される。
【０００３】
また、選局したチャンネルの音声を常に検出し、その情報を管理センターに１日の終わりに送信する役目を果たすマイクロホン付視聴測定装置も存在する。個人または集団レベルで、１台または複数台のテレビ受信機が放送局からの音声信号及び／または映像信号を増幅する際に給電網に要求する消費量を利用して、視聴中のチャンネルを識別、定量化し、電気ネットワークから視聴を測定するシステムで、かつサンプリングした集団のプライバシーを損なわないシステムは、知られていない。
【０００４】
また、本出願人は、以下に挙げる本発明に関連する文献についても認識している。
特許文献１は、「引出電力に影響を及ぼす信号を使い送信機画像信号を変調することを含む、ある特定の送信機からの信号を同時に受信している、電気ネットワークに接続された複数の受信器を検出する」方法に関する。
特許文献２は、「表示された画像と選択された番組とを関連付けるために、ある期間にわたり電力を測定する相関器を備えた、特定の番組を受信したテレビ受像機を測定する」システムに関する。
【先行技術文献】
【特許文献】
【０００５】
【特許文献１】ドイツ特許第ＤＥ-１００５６１３４号
【特許文献２】ドイツ特許第ＤＥ-１９７３３４１４号
【発明の概要】
【発明が解決しようとする課題】
【０００６】
しかしながら、指摘すべきは、どちらの場合も、目的は似ているものの、検証したように、後述の本発明とは特に以下の面で大きく相違している点である。
【０００７】
本発明では、基本的に、ラジオとテレビ両方の音声増幅器によって生じる消費電流から算出するが、これは、テレビの場合、画像によって生じる消費量は、テレビの種類によって異なるため、画像による消費量について得られる情報は、典型とはならないからである。
【０００８】
前述した特許文献とは異なり、本明細書で記載する発明では、映像信号の他に、音声増幅器が生成する消費量のエンベロープを比較するが、そのエンベロープを、観察する各チャンネルのパターン信号中の音声信号の消費量と、電気ネットワークのある箇所で分析用に読み出す信号の消費量とを、フィルタリングし、増幅し、統合することで、生成する。
【０００９】
更に、ネットワークの総消費量のエンベロープを、各チャンネルの消費量のエンベロープと比較して、どれくらいの割合の信号が、各チャンネルに相当するかを計算する。電流消費量は、家の中での音量の大小によって、大小があるため、ある特定のチャンネルを視聴中のテレビ台数を計算するだけでなく（これは誤った情報となる可能性があるため）、様々なチャンネルを視聴中の家庭の割合も、統計的に計算するようにする。上記情報を、様々なテレビまたはラジオチャンネルを視聴取している人数の割合を求めるために、サンプルを抽出した地域の居住人口と相互参照する。
【００１０】
別の相違点は、提案する本発明には、管理センターに信号を送信する通信部品を内蔵していて、管理センターでこの信号を自動的に処理することで、視聴に関するオンライン情報を得られる点である。
【００１１】
従って、出願人は、本明細書に記載した装置と同様な技術的特徴、構造的特徴及び構成的特徴を備えた、電気ネットワークから消費パターンを測定する他の装置の存在については認識していず、それを提供することを課題とする。
【課題を解決するための手段】
【００１２】
より具体的には、基本特許となる本発明の目的物は、配電網の電線またはケーブルにおける電力消費量の測定値を取り、その測定値を処理して、配電点に対応する電線を使用するユーザ群の電力消費パターンを判定し、そのパターンを、例えば上記情報を処理する遠隔システムに送信可能にする装置から成る。
【００１３】
電力消費する電気機器に特有の特徴は、所定パターンとの比較によって判定できる。視聴について測定するために、テレビで視聴されているテレビ番組を識別する方法を、第１実施例では構築する。
【００１４】
第２実施例では、配電網の電線と接続されている機器または電気機器の種類を識別可能にして、統計を纏め、その後の調査を可能にする方法を構築する。
【００１５】
本発明で記載する電気ネットワークから消費パターンを測定する装置は、上述したように、それ自体設置されている配電網の任意の配電点で電力消費量を測定する装置から成り、その利用分野において明らかに新規なものとして構成される。これは、この装置を設置することによって、特に、選択した測定点から電気ネットワークがサービスを提供する住民の消費パターンに関する情報を、上記測定値から生成し、更には上記情報を次に処理及び表示する遠隔システムに伝送するシステムを得ることができるからである。
【００１６】
現在、適切に分析または使用されていない電気ネットワークにおける情報が極めて多く存在する。本発明の装置が提案する測定システムにより、非侵入的に、抽出地域に居住する人々の個人的プライバシーを侵害せずに、特定の地理的領域にある任意の電気機器の消費傾向を、有利に分析できる。
【００１７】
従って、配電網の配電点についての測定及び分析を、配電点を使用して行うと、得られたデータは、各地域の配電点の特性に従い変化する家庭群のものを表すため、各家庭のプライバシーは尊重されることになる。
【００１８】
そのために、本発明の装置には、以下の機能を備える：
−  配電網の電線またはケーブルにおける電力消費量について測定すること。
−  上記測定値を処理して、この配電センターからサービスを提供されるユーザの消費パターンを得ること。
−  上記測定値について、ａ）測定値を遠隔情報処理システムに送信でき、その情報を、システムの特定アプリケーションに最も相応しい方法で処理すること、或は、ｂ）本発明の目的物である装置により、ある特定の消費パターンに当てはまる消費者数についての情報を推知するために、測定値を所定のパターンと比較でき、最終的に、同じ遠隔情報処理システムに消費パターンを送信すること。
−  装置自体の運転に関する別の種類の情報（不具合通知、装置状態等）を遠隔システムに送信すること。
−  更に、遠隔情報処理システムから情報を受信して、装置の動作を変更する、或は前の箇所で言及した所定のパターンを構築可能にすること。
【００１９】
更に、遠隔システムへ／からの全ての通信においては、本発明の目的物である測定用装置を、その装置に設けた単一の識別子を用いて識別する。識別子は、配電網に同時に設置できる他の測定装置と区別するため、及び装置各々が生成する測定値を区別するために備えられる。
【００２０】
従って、本発明の目的は、本装置により、電線における消費パターンを識別可能にし、そのパターンを次に所定のパターンと比較するように運転すること、またはこれらのパターンを管理センターに送信し、比較を行うことである。
【００２１】
そうした比較により、電線で運転中の電気機器の種類を識別できる。
【００２２】
このシステムの運転の基本は、テレビ受信機または本装置の制御下にある一定地域の全受信機のエネルギー消費量を検出することにある。
【００２３】
チャンネルに接続及びチャンネルを選局した各テレビは、他にも理由はあるが、その時に増幅されている音声及び／または映像信号によって、電力消費量に変化が起こる。
【００２４】
この消費量の変化は、上記音声及び／または映像信号の増幅が引き起す強度変化に変換される。同じチャンネルを選局した域内の受信機数の合計が、その時増幅した音声／映像信号の、典型的な電気ネットワークにおける強度振動の合計となる。
【００２５】
この信号の合計により、同一チャンネルを視聴中のテレビ台数を判定できる。
【００２６】
この信号は、例えば１台のテレビ受信機から、または家庭群から、または配電センターから、または、好適実施例では、ネットワークの特定の配電点から得られ、信号を管理センターに伝送し、センターで、このサンプル信号を、視聴調査対象の放送局から発信する音声及び／または映像信号の各々と比較し、各々の比較に対する数値を得る。
【００２７】
そのために、管理センターで各チャンネルの映像及び音声信号の入力を受け、比較パターンとして構築する必要がある。
【００２８】
好ましくは、装置自体でそれを行う代わりに、サンプル信号を管理センターに伝送するが、これはパターンを経時的に変化する信号に基づいて判定する必要があるのと、そうすることで管理が容易になるためである。とは言っても、本装置がパターンを有する場合は、この比較を装置自体でも実行可能である。
【００２９】
各々のテレビチャンネルの基準消費パターンを、管理センターで判定し、そのパターンと地理的に点在する装置によって得たパターンとの比較を、管理センター自体で、或は各測定用装置で、管理センターから基準パターンを受信した後に行うことができる。
【００３０】
家庭で運転する電気機器を識別して、次に識別の処理を電力供給会社が行えるようにし、その後の統計的処理を可能にすることで、結果的に顧客に対する更なるサービスを提供できるようにすることも、本発明の目的である。
【００３１】
本発明は更に、パターンエミッタを電力消費機器に組み込む。
【００３２】
この方法では、電力消費機器には、機器の運転中に、消費量を生成しつつ、ネットワークに注入した所定のパターンから識別する手段を有する。
【００３３】
この手段の利点は、装置を明確に識別でき、同じネットワークから消費する他の電気機器の存在と、容易に区別できる点である。
【００３４】
要するに、本発明の好適実施例では、少なくとも１つの基準パターンを、あるチャンネルを選局したテレビの消費量に対応するパターンとする、記載したような装置が考えられる。
【００３５】
同様に、異なる実施例では、各消費装置に更に、消費装置の給電線に注入する所定の消費パターンを生成する生成要素を組込むといった装置が考えられる。
【００３６】
最後に、視聴測定を、以下の基本的ステップを実行する本発明による装置を利用して、行うことも考えられる：
−  消費パターンを識別する電線の電流変動を読み出すこと。
−  １つまたは複数のテレビチャンネル信号を読み出し、存在するチャンネルと同数の関連消費パターンを判定すること。
−  消費パターンと、検討する１つまたは複数のチャンネルの基準パターンとを比較すること。
−  視聴について計算するために、各チャンネルを視聴中のテレビ（Ｔ）台数を判定すること。
【００３７】
この電気ネットワークから消費パターンを測定するこの新規の装置は、目的用としては今まで知られていない構造的及び構成的特徴の革新的な構造を表したものである。こうした理由と、実用性とが相まって、特許性を有する十分な根拠を示すものである。
【００３８】
以上の説明を補足し、本発明の特徴を一層の理解し易くするために、図面を、本明細書の一部として、本明細書に添付するが、以下では、例示的かつ非限定的な特徴と共に説明する。
【図面の簡単な説明】
【００３９】
【図１】本発明による電気ネットワークから消費パターンを測定する新規の装置の概略を示し、装置に含む主要部品及び要素の他、それらの間の配置や関係を表すブロック図
【図２】テレビ群に供給する電気ネットワークにおける視聴レベルを判定する動作方式を示す説明図
【図３】各消費装置が識別パターンを生成する生成要素を有する動作方式を示す説明図
【発明を実施するための形態】
【００４０】
前述した図面を参照し、図面で使用した参照番号によって、電気ネットワークから消費パターンを測定する装置の好適実施例を示していて、装置には、以下で詳細に示しかつ説明する部品及び要素を備える。
【００４１】
図面から分かるように、本装置（１）は基本的に、マイクロコントローラまたは同様の処理装置及び他の適当な補助装置（メモリ、制御論理等）で形成する制御ブロック（２）；制御ブロック（２）が提供する信号を、所望の伝送手段から伝送するよう調整する変調器／復調器で形成する通信ブロック（３）；本装置（１）の部品全ての運転に適した電圧（８）に使用可能な供給電源を変換する供給ブロック（４）；配電網のケーブルまたは電線（７）に関する電力消費量の測定と、その調整と、必要に応じて所定消費パターンとの比較と、そのパターンの通信ブロック（３）への送信と、を行う測定ブロック（５）、から構成される。
【００４２】
本装置（１）の制御アルゴリスムは制御ブロック（２）に実装されていて、制御ブロック（２）は、測定ブロック（５）から来る信号の入力、通信ブロック（３）から受信する通信及びデータを示す信号の入力を受け、供給ブロック（４）からの充電レベルを示す信号が有った場合、信号の入力を受け、測定ブロック（５）に向けて信号を出力し、通信ブロック（３）に送信する通信及びデータを示す信号を出力する。
【００４３】
次に、上述したように、制御ブロック（２）が提供する信号を調整する変調器/復調器で形成する通信ブロック（３）では、本装置の具体的な場所に応じて、その都度異なる伝送手段を使用でき、制御ブロック（２）から送信する通信及びデータを示す信号の入力と、制御ブロック（２）が送信した情報を検出する遠隔システムから発信する変調信号の入力とを受け、制御ブロック（２）に送信する通信及びデータを示す信号を出力し、伝送する情報を変調済みにした信号を出力する。
【００４４】
最後に、供給ブロック（４）には、使用可能な供給電源を適当な電圧（８）に変換する他に、更に、その適用が必要と思われる場合のみ、供給が無いときに電流を供給する装置を含むことができ、装置を充電池とすることができるが、充電池に限定するものではない。供給ブロック（４）は、装置（１）に使用可能な電圧(6)の入力を受け、装置（１）の運転に必要な全電圧（８）を出力し、充電池の充電レベルを示す信号が有った場合は、信号を制御ブロック（２）へ出力する。
【００４５】
図２を参照し、本発明の使用方法に関する第１実施例に基づいて、動作により給電線（７）に、主に音声信号及び映像信号の増幅段階において、外乱を生じる特定の装置、即ちテレビ（Ｔ）の消費量について説明する。
【００４６】
発生する電流変動は、消費装置としてのテレビ（Ｔ）に特有なものではなく、むしろ視聴中のチャンネルに特有なものである。
【００４７】
異なるメーカーが製造した異なるテレビ（Ｔ）で同一チャンネルを選局すると、同じ音声信号及び映像信号を増幅するため、同様なパターンを生成する。
【００４８】
数台のテレビ（Ｔ）が、同一電線（７）で給電される場合、変動が合算されるので、各テレビチャンネルの視聴率を立証するために、全チャンネルの総消費量に対する各チャンネルにより発生する消費量の比率を計算する必要がでてくる。
【００４９】
この実施例では、装置（１）が読み出したパターンを管理センター（Ｃ）に伝送し、センター（Ｃ）で、基準チャンネルに対応する信号（Ｓ）から発生するパターンと比較する。
【００５０】
管理センター（Ｃ）が１つの信号（Ｓ）を受信した場合、管理センター（Ｃ）はその信号（Ｓ）に対応するチャンネルを視聴中のテレビ（Ｔ）台数を判定できる。
【００５１】
対照的に、管理センター（Ｃ）が複数のテレビチャンネルの信号（Ｓ）を受信した場合、管理センター（Ｃ）は、各チャンネルに対する視聴率を求められる。
【００５２】
この第１実施例の方法を変更し、装置（１）自体が信号（Ｓ）を受信して比較パターンを生成するようにできる。更に、比較は行えるが、パターンは管理センター（Ｃ）自体で提供するようにもできる。こうした変更は可能ではあるものの、管理センター（Ｃ）が信号を受信して、基準パターンを生成して、次にそれらを比較するのが、より有利であることが分かっている。
【００５３】
図３に表した使用方法の第２実施例は、識別パターンを生成する生成要素（Ｇ）を設けた結果、消費装置（Ｄ１、Ｄ２）群を識別することから成る。
【００５４】
この識別パターンを生成する生成要素（Ｇ）により、測定要素が既知の給電線（７）にパターンを注入する、或はパターンを少なくとも測定要素が識別可能なものとする。
【００５５】
この場合、給電線（７）にもたらされる変動に基づいて、装置（Ｄ１、Ｄ２）の種類を推知する必要を省ける。というのも、配置されるパターンが既知であるため、識別に失敗する可能性が低くなるからである。
【００５６】
この動作方式では、消費パターンを測定する装置（１）は、どちらの装置（Ｄ１、Ｄ２）が動作中か、またこの識別をせずに、動作モードに応じて装置（Ｄ１、Ｄ２）がどのくらい消費するかを求められる。
【００５７】
例えば、洗濯機は、運転段階毎に異なるパターンを生成するが、読み出しを、パターンを生成する生成要素（Ｇ）が発する信号について行えば、装置を区別する方法が必ず見つかることになる。
【００５８】
パターンを生成する生成要素が使用するパターンを一意とすることで、各家庭で使用する電気機器の区別を、読み出し点を必ずしも家庭での入力とせず、むしろ複数の家庭に共通する読み出し点で行えるようになる。
【００５９】
こうした特別な種類の装置では、同じ装置（１）と管理センター（Ｃ）の両方で既知のパターンと比較ができる。
【００６０】
また、接続された消費装置群の消費量についての統計的または詳細な報告書を作成できる装置の可能性も、本発明の範囲に包含されるものとする。
【００６１】
以上、本発明の趣旨、並びに本発明を実現する方法について説明したため、当業者が本発明の範囲及び本発明から得られる効果を理解できるように、更に説明する必要性は認められず、明らかに、本発明の基本的な特徴の範囲内で、例示した実施例とは細部が異なる他の実施例も実行可能であり、また本発明の基本原理を変形、変更、修正しないことを条件に、保護されるものとする。
【符号の説明】
【００６２】
１  装置
２  制御ブロック
３  通信ブロック
４  供給ブロック
５  測定ブロック
６、８  電圧
７  電線
Ｃ  管理センター
Ｇ  生成要素
Ｄ１、Ｄ２  消費装置
Ｓ  信号
Ｔ  テレビ
【図１】
2011501548.tif 000003
【図２】
2011501548.tif 000004
【図３】
2011501548.tif 000005
【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
電気ネットワークから消費パターンを測定する装置（１）の使用方法であって、
１つまたは複数のテレビチャンネルの視聴レベルを測定する方法においては、電線の電流変動を読み出して、その消費パターンを識別するステップを有し、
１つまたは複数のテレビチャンネルを読み出して、存在するチャンネルと同数の関連消費パターンを判別するステップと、
その消費パターンを、検討対象の１つまたは複数のチャンネルの基準パターンと比較するステップと、
各チャンネルを視聴中のテレビ（Ｔ）台数を判定して、視聴に関する統計を計算するステップと、を更に有する
ことを特徴とする電気ネットワークから消費パターンを測定する方法。
【請求項２】
１つまたは複数の基準パターンを判定する読み出しを測定用装置（１）で行う
請求項１に記載の電気ネットワークから消費パターンを測定する方法。
【請求項３】
１つまたは複数の基準パターンを判定する読み出しを管理センター（Ｃ）で行う
請求項１に記載の電気ネットワークから消費パターンを測定する方法。
【請求項４】
パターンの比較を管理センター（Ｃ）で行う
請求項３に記載の電気ネットワークから消費パターンを測定する方法。
【請求項５】
電気ネットワークから消費パターンを測定する装置であって、
請求項１ないし４のいずれかに記載の方法を実施する装置であり、
その装置を用いて、配電網の電線またはケーブルにおける電力消費量の測定値を処理し、配電点を使用するユーザ群の消費パターンを生成し、その消費パターンを、装置または遠隔システムの何れかの基準パターンと比較する手段を備え、消費パターンの給電線（７）に注入する所定の消費パターンを生成する生成要素（Ｇ）を備える
ことを特徴とする電気ネットワークから消費パターンを測定する装置。
【請求項６】
消費装置群の消費に関する統計的または詳細な報告書を作成する手段を備える
請求項５に記載の電気ネットワークから消費パターンを測定する装置。
【請求項７】
電線（７）で読み出した消費パターンの比較を装置（１）に含む手段で行う
請求項５に記載の電気ネットワークから消費パターンを測定する装置。
【請求項８】
電線（７）で読み出した消費パターンの比較を、管理センター（Ｃ）に組込んだ比較手段で行い、管理センター（Ｃ）に消費パターンを転送する前に、読み出しを装置（１）で行う
請求項５に記載の電気ネットワークから消費パターンを測定する装置。
【国際調査報告】
2011501548.tif 000006
2011501548.tif 000007
2011501548.tif 000008
2011501548.tif 000009
2011501548.tif 000010
2011501548.tif 000011
2011501548.tif 000012
2011501548.tif 000013